(57)【特許請求の範囲】
【請求項１】
ねじ部において流体が流通する配管に螺合され、内部に弁座が設けられた筒状の筐体と、
前記筐体の内部に挿入される筒状のガイド部材と、
一端が前記ガイド部材の端面に接触するバネと、
前記筐体の内部に挿入されており、前記バネの他端に接触して前記弁座と接触するように付勢される弁体、及び前記弁体よりも細径であって前記ガイド部材の内部に挿入される軸部を有する弁体ユニットと、を備え、
前記ガイド部材は、
外周面において前記筐体の内周面と接触する接触部と、
前記接触部よりも細径であって前記筐体の内周面から離間する段部と、
を備え、
前記段部は、前記端面の外周側に位置することを特徴とするリリーフ弁。
【請求項２】
前記ガイド部材における前記接触部は、全周において前記筐体の内周面と接触することを特徴とする請求項１記載のリリーフ弁。
【請求項３】
前記ガイド部材における前記接触部は、前記筐体と前記配管とが螺合する範囲内において、前記筐体の内周面と接触することを特徴とする請求項１又は２記載のリリーフ弁。
【請求項４】
請求項１〜３のいずれか１項に記載のリリーフ弁を有し、流体が流通することを検知する流水検知装置と、
前記流水検知装置の一次側に接続され、流体を前記流水検知装置に供給するポンプが設けられた第１の導管と、
前記流水検知装置の二次側に接続され、流体を散布する消火用ヘッドが設けられた第２の導管と、を備え、
前記リリーフ弁は、
前記第２の導管内の圧力が、前記ポンプの締切圧力より高くなると、開放して前記第１の導管内に圧力を逃がすことを特徴とする消火設備。
【発明の詳細な説明】
【技術分野】
【０００１】
本発明は、配管内の圧力を調整するリリーフ弁及びリリーフ弁を備える消火設備に関する。
【背景技術】
【０００２】
従来より、配管内の圧力が所定値を超えたときに、配管内に流通する流体を排出して、配管内の圧力の上昇を抑制するリリーフ弁が知られている。特許文献１には、円筒状のボディ（筐体）に挿入されたガイド筒部（ガイド部材）の内部に、バネによって付勢された弁体が挿入され、配管内の圧力が所定値を超えたときに、弁体がガイド部材に沿って移動して、筐体の内部に流体を流すリリーフ弁が開示されている。この特許文献１は、ガイド部材におけるバネを保持する部分を除く部分の外周面の全てが、筐体の内周面に接触している。
【先行技術文献】
【特許文献】
【０００３】
【特許文献１】特許第４２９３３７１号公報（請求項１、図１）
【発明の概要】
【発明が解決しようとする課題】
【０００４】
筐体の内部に挿入されたガイド部材は、筐体の外周面から外力が加わり、筐体が変形すると、筐体から力を受ける。ここで、特許文献１に開示されたリリーフ弁は、ガイド部材におけるバネを保持する部分を除く部分の外周面の全てが、筐体の内周面に接触している。このため、ガイド部材において、筐体が僅かでも変形すると、筐体から力を受ける面積が大きい。そうなると、ガイド部材と筐体との間に大きな固着力が発生し、ガイド部材が筐体から外れ難い。
【０００５】
本発明は、上記のような課題を背景としてなされたもので、ガイド部材を筐体から外すことが容易なリリーフ弁及びリリーフ弁を備える消火設備を提供するものである。
【課題を解決するための手段】
【０００６】
本発明に係るリリーフ弁は、ねじ部において流体が流通する配管に螺合され、内部に弁座が設けられた筒状の筐体と、前記筐体の内部に挿入される筒状のガイド部材と、一端が前記ガイド部材の端面に接触するバネと、前記筐体の内部に挿入されており、前記バネの他端に接触して前記弁座と接触するように付勢される弁体、及び前記弁体よりも細径であって前記ガイド部材の内部に挿入される軸部を有する弁体ユニットと、を備え、前記ガイド部材は、外周面において前記筐体の内周面と接触する接触部と、前記接触部よりも細径であって前記筐体の内周面から離間する段部と、を備え、前記段部は、前記端面の外周側に位置することを特徴とする。
【発明の効果】
【０００７】
本発明によれば、ガイド部材が、接触部よりも細径であって筐体の内周面から離間する段部を有しているため、容易にガイド部材を筐体から外すことができる。
【図面の簡単な説明】
【０００８】
【図１】本発明の実施の形態１に係るスプリンクラ消火設備２を示す模式図である。
【図２】本発明の実施の形態１における流水検知装置３を示す正面図である。
【図３】本発明の実施の形態１における流水検知装置３を示す上面図である。
【図４】本発明の実施の形態１における流水検知装置３を示す側面図である。
【図５】本発明の実施の形態１における流水検知装置３の動作を示す動作説明図である。
【図６】本発明の実施の形態１における流水検知装置３の動作を示す動作説明図である。
【図７】本発明の実施の形態１に係るリリーフ弁１を示す正面断面図である。
【図８】本発明の実施の形態１に係るリリーフ弁１を示す上面図である。
【図９】本発明の実施の形態１におけるガイド部材４０を示す正面断面図である。
【図１０】本発明の実施の形態１におけるガイド部材４０を示す上面図である。
【図１１】比較例１に係るリリーフ弁１００を示す正面断面図である。
【図１２】比較例１に係るリリーフ弁１００を示す底面図である。
【図１３】比較例１におけるガイド部材１４０を示す正面断面図である。
【図１４】比較例１におけるガイド部材１４０を示す上面図である。
【図１５】本発明の実施の形態２に係るリリーフ弁２００を示す正面断面図である。
【図１６】本発明の実施の形態２に係るリリーフ弁２００を示す底面図である。
【図１７】本発明の実施の形態２に係るリリーフ弁２００を示す上面図である。
【図１８】本発明の圧力スイッチ型の流水検知装置３００の動作を示す動作説明図である。
【図１９】本発明の圧力スイッチ型の流水検知装置３００の動作を示す動作説明図である。
【発明を実施するための形態】
【０００９】
以下、本発明に係るリリーフ弁及びスプリンクラ消火設備の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１０】
実施の形態１．
図１は、本発明の実施の形態１に係る消火設備の一例としてのスプリンクラ消火設備２を示す模式図である。この図１に基づいて、スプリンクラ消火設備２について説明する。なお、本実施の形態では、消火設備をスプリンクラ消火設備２として説明するが、それだけに限らず、泡消火薬剤と水とを混合した泡水溶液を放出する泡消火設備等にも本発明は適用可能である。
【００１１】
図１に示すように、スプリンクラ消火設備２は、第１の導管４と、複数の第２の導管７と、複数の流水検知装置３とを有している。流水検知装置３を流れる流水は、消火水である。ここで、消火水とは、水だけではなく、消火薬剤が溶解される水溶液であってもよく、消火薬剤は、泡消火薬剤としてもよい。また、本実施の形態１の説明では、流水検知装置３には消火水が流れるものとして説明するが、それだけに限らず、流水検知装置３を流れるものは、流体であれば何でもよい。
【００１２】
第１の導管４は、流水検知装置３の一次側に設けられている。第１の導管４には、消火水が貯留される貯水槽６と、貯水槽６から消火水を汲んで、消火水を流水検知装置３に供給するポンプ５が設けられている。なお、貯水槽６は、貯水タンクとしてもよい。第２の導管７は、流水検知装置３の二次側に設けられている。第２の導管７には、消火水を散布する消火ヘッドの一例としてのスプリンクラヘッド８が複数設けられている。第１の導管４及び第２の導管７には、消火水が加圧充填されている。そして、流水検知装置３は、スプリンクラヘッド８が作動して消火水が散布されて第２の導管７の圧力が低下すると、第１の導管４から第２の導管７に消火水を流通させると共に、消火水が流通したことを検知するものである。流水検知装置３によって消火水が流通したことが検知されると、図示されない火災受信機に火災信号を出力する。図示しない火災受信機は、流水検知装置３から出力された火災信号を受信すると、火災警報を鳴動させることにより、火災を報知する。一方、第１の導管４の圧力低下を、図示しないポンプ起動用圧力スイッチが検出すると、ポンプ５が起動する。なお、流水検知装置３が消火水の流通を検知した際に、ポンプ起動信号をポンプ５に出力し、ポンプ５が起動するようにしてもよい。
【００１３】
リリーフ弁１は、第１の導管４と第２の導管７とを、流水検知装置３を介さずにバイパスして接続しており、第２の導管７内の圧力が、設定した圧力より一定値以上高くなると、解放する。これにより、リリーフ弁１は、配管内の圧力を、第２の導管７から第１の導管４に逃がす。なお、リリーフ弁１を用いない場合、第２の導管７内の圧力が周囲温度の上昇により高くなると、スプリンクラヘッド８等が破損する等の不具合が発生する虞がある。このため、第２の導管７よりも配管ボリュームがある第１の導管４内に圧力を逃がすように設定されている。
【００１４】
ここで、スプリンクラ消火設備２を設けた当初は、流水検知装置３の二次側である第２の導管７及び流水検知装置３の一次側である第１の導管４は、ほぼ同じ水圧になっている。スプリンクラ消火設備２の設置後、気温の低下により第２の導管７内の消火水の体積が減少し、第１の導管４から消火水の供給が行われる。その後、気温が元に戻ると、第２の導管７の体積が元に戻り、第１の導管４より高圧になる。リリーフ弁１は、第２の導管７内の圧力が、第１の導管４の圧力より一定値以上高くなると開放するので、流水検知装置３の二次側（第２の導管７）の圧力が一次側（第１の導管４）の圧力より高くなる。
【００１５】
このような状態にすると、後述するような効果がある。例えば、１階のスプリンクラヘッド８から消火水が散布されて１階の第２の導管７の圧力が下がると、消火水は、１階の流水検知装置３を通過して、第１の導管４から１階の第２の導管７に流通する。先ず、第１の導管４に設けられたポンプ５の締切圧力よりも低圧に設定されている場合について説明する。例えば、第２の導管７の圧力が１．０Ｍｐａに設定されており、ポンプ５の締切圧力が１．２Ｍｐａに設定されている。１階のスプリンクラヘッド８から消火水が散布されると、１階の第２の導管７の圧力が低下すると共に、ポンプ５は締切圧力が１．２Ｍｐａで作動する。しかし、１階以外の階の第２の導管７の圧力は、１．０Ｍｐａである。このため、ポンプ５は、１階以外の階の第２の導管７における圧力が１．２Ｍｐａに上昇するまで、１階以外の階の第２の導管７に消火水を供給してしまう。従って、１階の第２の導管７に消火水が供給されるまで時間がかかってしまう。また、１階以外の階の第２の導管７に消火水が供給されると、各階に設けられる流水検知装置３が流水を検知してしまう虞もある。
【００１６】
これに対し、本実施の形態１は、リリーフ弁１の設定圧力が、ポンプ５の締切圧力より高圧に設定されている。即ち、流水検知装置３の二次側の圧力が一次側の圧力より高く設定されている。例えば、ポンプ５の締切圧力が１．２Ｍｐａである場合、リリーフ弁１の圧力が１．３Ｍｐａに設定される。こうすることで、１階のスプリンクラヘッド８から消火水が散布されると、１階の第２の導管７の圧力が低下すると共に、ポンプ５は締切圧力が１．２Ｍｐａとなるように作動する。そして、１階以外の階の第２の導管７の圧力は、１．３ＭＰａであるため、ポンプ５は、１階以外の階の第２の導管７には消火水を供給しない。このため、ポンプ５は、全ての消火水を、１階の第２の導管７に供給することができる。このように、本実施の形態１は、１階のスプリンクラヘッド８からの消火水の散布が、適切に行われるという効果を奏する。また、こうすることで、リリーフ弁１が常に開放してしまうことを防止することができる。
【００１７】
図２は、本発明の実施の形態１における流水検知装置３を示す正面図、図３は、本発明の実施の形態１における流水検知装置３を示す上面図、図４は、本発明の実施の形態１における流水検知装置３を示す側面図である。図２、図３、図４に示すように、流水検知装置３は、装置本体１０と、排水弁１２と、流水検知部１３と、バイパス部１４とを有している。装置本体１０は、第１の導管４と第２の導管７とを接続するものであり、内部に本体弁１１を有している。本体弁１１は、逆止弁であり、第１の導管４内の圧力より、第２の導管７内の圧力が低くなると開き、第１の導管４から第２の導管７に消火水が流通することを許容するものである。
【００１８】
排水弁１２は、第２の導管７内やスプリンクラヘッド８のメンテナンス等を実施する場合に、第２の導管７内の消火水を排出するものである。また、流水検知部１３は、装置本体１０に消火水が流通したことを検知するものである。図５、図６は、本発明の実施の形態１における流水検知装置３の動作を示す動作説明図である。図５に示すように、スプリンクラヘッド８が作動していない通常状態である場合、本体弁１１は閉じており、装置本体１０に消火水が流通しない。なお、流水検知部１３は、本体弁１１に一端が接触する棒状のステム１０ｂと、ステム１０ｂにより押下されると流水信号を送信するリミットスイッチ１０ｃとを有している。図６に示すように、第２の導管７内の圧力が低下して第１の導管４内の圧力より低くなると、本体弁１１が開き、装置本体１０に消火水が流通する。そして、本体弁１１が開くことによって、ステム１０ｂの一端が押し上げられると共にステム１０ｂの他端が降下する。これに伴い、ステム１０ｂの他端によりリミットスイッチ１０ｃが押下される。そして、リミットスイッチ１０ｃから、例えば図示しない受信機に流水信号が送信される。このように、本実施の形態１における流水検知装置３は、作動弁型が使用されている。
【００１９】
バイパス部１４は、第１の導管４と第２の導管７とを、本体弁１１を介さずに接続するものであり、一次メンテナンス弁１５と、二次メンテナンス弁１６と、一次圧力計１７と、二次圧力計１８と、第１の配管１９と、第２の配管２０と、リリーフ弁１とを有している。第１の配管１９は、バイパス部１４においてリリーフ弁１より第１の導管４側に設けられており、一次メンテナンス弁１５は、第１の配管１９に設けられている。第２の配管２０は、バイパス部１４においてリリーフ弁１より第２の導管７側に設けられており、二次メンテナンス弁１６は、第２の配管２０に設けられている。一次メンテナンス弁１５及び二次メンテナンス弁１６は、通常は開かれ、バイパス部１４が有するリリーフ弁１や一次圧力計１７、二次圧力計１８等をメンテナンスする際に閉じられるもので、バイパス部１４を介した第１の導管４と第２の導管７との間の消火水の導通を止めるためのものである。
【００２０】
一次圧力計１７は、第１の配管１９に設けられており、第１の配管１９内の圧力を計測するものである。なお、一次メンテナンス弁１５が開いている場合、第１の配管１９内の圧力は、第１の導管４内の圧力と同等である。二次圧力計１８は、第２の配管２０に設けられており、第２の配管２０内の圧力を計測するものである。なお、二次メンテナンス弁１６が開いている場合、第２の配管２０内の圧力は、第２の導管７内の圧力と同等である。
【００２１】
リリーフ弁１は、第１の配管１９と第２の配管２０とを接続し、第２の配管２０内の圧力、即ち第２の導管７内の圧力が上昇したときに、第２の配管２０から第１の配管１９に消火水を流通させるものである。なお、第１の配管１９にはエルボ１９ａが設けられ、また、第２の配管２０にはソケット２０ａが設けられており、夫々リリーフ弁１に接続されている。図７は、本発明の実施の形態１に係るリリーフ弁１を示す正面断面図、図８は、本発明の実施の形態１に係るリリーフ弁１を示す上面図である。図７、図８に示すように、リリーフ弁１は、筐体３０と、ガイド部材４０と、バネ５０と、弁体ユニット６０と、止め輪４６とを有している。
【００２２】
筐体３０は、円筒状をなしており、両端側の外周に、ねじ部３０ａが、両最端側が細くなるようにテーパが形成された螺子山が切られている、いわゆる（管用）テーパねじとなっている。そして、筐体３０は、一端側のねじ部３０ａにおいて第１の配管１９と螺合し、他端側のねじ部３０ａにおいて第２の配管２０と螺合している。このように、テーパが形成された螺子山同士において螺合することにより、筐体３０と第１の配管１９及び第２の配管２０とは、強固に螺着される。また、筐体３０の一端側の内周面３０ｂには、止め輪４６を嵌着させるリング状溝が切られている。筐体３０の内部は、一端側から、筐体３０の長手方向（矢印Ｚ方向）に第１の空間３１が形成されており、他端側において、第１の空間３１よりも細径の第２の空間３２が形成されている。そして、この第１の空間３１と第２の空間３２との境界には、流路３３ａを備える弁座３３が設けられている。なお、筐体３０は、一端側における第１の空間３１を覆う部分は、他端側における第２の空間３２を覆う部分よりも薄肉である。
【００２３】
図９は、本発明の実施の形態１におけるガイド部材４０を示す正面断面図、図１０は、本発明の実施の形態１におけるガイド部材４０を示す上面図である。図９、図１０に示すように、ガイド部材４０は、略円筒状をなしており、筐体３０の一端側から内部に挿入されて、第１の空間３１に収容されている。ガイド部材４０は、軸受け部４１と、軸受け部４１よりも太径で同軸のバネ受け部４２とを有している。軸受け部４１は、内部に弁体ユニット６０が挿入されるものであると共に、バネ５０の内側に挿入されている。バネ受け部４２は、軸受け部４１側の端面４２ａにバネ５０の一端が接触しており、バネ５０を保持するものである。バネ受け部４２には、ガイド部材４０の長手方向（矢印Ｚ方向）に、ガイド孔４５が形成されており、ガイド孔４５は、消火水を流通させるものである。なお、ガイド孔４５は、４個の場合を例示しているが、４個未満でもよいし、４個より多くてもよい。
【００２４】
バネ受け部４２は、接触部４３と段部４４とを有している。接触部４３は、筐体３０の内部に挿入され、外周面４３ａにおいて筐体３０の内周面３０ｂと接触するものである。そして、止め輪４６によって、筐体３０内にガイド部材４０が係止される。また、接触部４３は、図７に示すように、筐体３０と第１の配管１９のエルボ１９ａとが螺合する範囲内において、筐体３０の内周面３０ｂと接触している。段部４４は、接触部４３よりも細径であって筐体３０の内周面３０ｂから離間するものである。なお、バネ受け部４２において、接触部４３と段部４４との体積比率は、適宜変更することができ、更に言及すると、接触部４３の高さは、段部４４の高さよりも高い方が好ましい。
【００２５】
バネ５０は、図７に示すように、ガイド部材４０の軸受け部４１が挿入され、一端がガイド部材４０のバネ受け部４２の端面４２ａに接触するものであり、他端が後述する一端面６２ａに接触し、弁体ユニット６０を付勢するものである。このバネ５０も、筐体３０の第１の空間３１に収容されている。
【００２６】
弁体ユニット６０は、図７に示すように、軸部６１と、軸部６１よりも太径で同軸の弁体６２とを有しており、筐体３０の第１の空間３１に収容されている。軸部６１は、ガイド部材４０の軸受け部４１に挿入されるものである。弁体６２は、軸部６１側である一端面６２ａにバネ５０の他端が接触しており、ガイド部材４０から離間した状態で、筐体３０の弁座３３にパッキン６４を介して接地してバネ５０に付勢されるものである。弁体６２の他端面６２ｂは、通常時、即ち、第１の導管４と第２の導管７との圧力差が設定値未満の場合、パッキン６４を介して筐体３０の弁座３３に接地しており、流路３３ａを塞いでいる。これにより、第２の空間３２から第１の空間３１に消火水が流通することを阻止する。なお、弁体６２の他端側には、螺子孔６２ｃが形成されており、螺子孔６２ｃに螺子６３がパッキン６４を介して挿入されている。螺子６３は、パッキン６４を弁体６２に設けるためのものであるが、弁体６２にパッキン６４を設ける手段はこれだけに限らず、かしめたり、接着剤を用いてもよい。
【００２７】
一方、バネ５０の付勢力に逆らうように第２の空間３２側から弁体６２に外力が加えられたとき、弁体６２の他端面６２ｂ（パッキン６４）は、弁座３３から離れて、流路３３ａを開放する。これにより、第２の空間３２から第１の空間３１に消火水が流通することを許容する。このように、弁体ユニット６０は、通常時には弁座３３に接地して流路３３ａを閉じ、第２の空間３２側から設定値以上の圧力が加えられたときにバネ５０の付勢力に反発して弁座３３から離れて筐体３０に消火水を流すものである。
【００２８】
止め輪４６は、ガイド部材４０が筐体３０の内部に挿入された後、筐体３０の内周面３０ｂに設けられたリング状溝に嵌着されて、ガイド部材４０が筐体３０から抜けることを防止するものである。
【００２９】
次に、本実施の形態１に係るリリーフ弁１の動作について説明する。通常状態では、第１の導管４内及び第２の導管７内の圧力の差が所定の設定範囲内であり、弁体ユニット６０における弁体６２は、バネ５０によって付勢されており、ガイド部材４０から離間した状態で弁座３３に接地し、流路３３ａを塞いでいる。このため、消火水は、第２の導管７に接続された第２の配管２０から、第１の導管４に接続された第１の配管１９に流通しない。
【００３０】
これに対し、外気の温度変化等によって、第２の導管７内の圧力が上昇した場合、弁体ユニット６０における弁体６２は、バネ５０の付勢力に反発する方向に圧力が加えられる。これにより、弁体６２（パッキン６４）は、弁座３３から離れて流路３３ａを開放する。これにより、消火水は、第２の導管７に接続された第２の配管２０から、第２の空間３２を通って、第１の空間３１に至り、更に、バネ受け部４２におけるガイド孔４５を通って、第１の導管４に接続された第１の配管１９に流通する。これにより、リリーフ弁１は、第２の導管７内の圧力を下げて、第２の導管７内の圧力を通常状態に戻す。なお、バネ５０の付勢力は、通常状態において、第２の導管７内の圧力が、第１の導管４内の圧力より高圧になるように設定されている。
【００３１】
次に、本実施の形態１に係るリリーフ弁１の作用について説明する。リリーフ弁１におけるガイド部材４０は、接触部４３よりも細径であって筐体３０の内周面３０ｂから離間する段部４４を有している。このため、ガイド部材４０が筐体３０の内部に挿入されるとき、ガイド部材４０において、筐体３０から力を受ける面積が小さい。従って、ガイド部材４０が筐体３０に挿入された後に、ガイド部材４０が筐体３０から外される場合、容易にガイド部材４０を筐体３０から外すことができる。
【００３２】
また、ガイド部材４０が筐体３０から力を受ける面積が小さいため、ガイド部材４０におけるバネ受け部４２の範囲内において、筐体３０と第１の配管１９とが螺合して、薄肉の第１の空間３１を覆う部分が内周側に撓んだとしても、ガイド部材４０を筐体３０から外すことは容易である。また、外周面４３ａが、筐体３０と第１の配管１９のエルボ１９ａが螺合する範囲内で筐体３０の内周面３０ｂと接触するようにしているので、第１の空間３１を覆う部分が内周側に撓んだとしても、第１の空間３１を元の形状に戻して、ガイド部材４０を筐体３０から外すことは容易であるため、第１の空間３１を覆う部分を薄肉にすることができる。よって、リリーフ弁１を小型化することができる。また、接触部４３と段部４４との体積比率は、適宜変更することができるため、リリーフ弁１を構成する各部品の設計を変更せずに、既存の部品をそのまま使用することができる。このように、本実施の形態１は、汎用性が高い。
【００３３】
また、ガイド部材４０における接触部４３は、全周において筐体３０の内周面３０ｂと接触している。このため、ガイド部材４０が筐体３０に挿入されるとき、ガイド部材４０が筐体３０から受ける力が、ガイド部材４０の周方向で均一である。従って、ガイド部材４０が筐体３０に挿入された後に、ガイド部材４０が筐体３０から外される場合、容易にガイド部材４０を筐体３０から外すことができる。
【００３４】
図１１は、比較例１に係るリリーフ弁１００を示す正面断面図、図１２は、比較例１に係るリリーフ弁１００を示す底面図、図１３は、比較例１におけるガイド部材１４０を示す正面断面図、図１４は、比較例１におけるガイド部材１４０を示す上面図である。図１１、図１２、図１３、図１４に示すように、比較例１におけるガイド部材１４０は、周方向に均等な間隔を空けて配置された３つの凸部１４６において、筐体３０の内周面３０ｂと接触している。このため、筐体３０と第１の配管１９とが螺合するとき、３つの凸部１４６と筐体３０の内周面３０ｂとの接触している面積が本実施の形態１と比較して小さいことから、３つの凸部１４６が筐体３０に食い込む可能性がある。３つの凸部１４６が筐体３０に食い込んだ場合、ガイド部材１４０は筐体３０から外しにくくなる。
【００３５】
実施の形態２．
図１５は、本発明の実施の形態２に係るリリーフ弁２００を示す正面断面図、図１６は、本発明の実施の形態２に係るリリーフ弁２００を示す底面図、図１７は、本発明の実施の形態２に係るリリーフ弁２００を示す上面図である。本実施の形態２は、ガイド部材２４０における接触部４３に凹部２４７が形成されており、凹部２４７に弾性部材２４８が挿入されている点で、実施の形態１と相違する。本実施の形態２では、実施の形態１と共通する部分は同一の符号を付して説明を省略し、実施の形態１との相違点を中心に説明する。
【００３６】
図１５、図１６、図１７に示すように、本実施の形態２は、ガイド部材２４０における接触部４３に、凹部２４７が形成されている。そして、筐体３０の一端側の内周面３０ｂには螺子山が切られており、また、接触部４３の外周面４３ａにも、螺子山が切られている。このように、筐体３０及び接触部４３に形成された螺子山によって、筐体３０と接触部４３とが螺合される。また、ガイド部材２４０は、凹部２４７に弾性部材２４８が挿入された状態において筐体３０に挿入される。弾性部材２４８は、樹脂でもよいし、銅等の軟性金属でもよい。本実施の形態２は、ガイド部材２４０が筐体３０に挿入されるとき、筐体３０が弾性部材２４８に当たって弾性部材２４８に押圧される。これにより、ガイド部材２４０が筐体３０に挿入され終わるときに、筐体３０とガイド部材２４０との固着力が増して、緩み止めの機能が付加される。なお、本実施の形態２においても、実施の形態１と同様に、ガイド部材２４０に外力を加えて筐体３０から外そうとすれば、容易に外すことが可能である。
【００３７】
なお、凹部２４７及び弾性部材２４８は、接触部４３に複数設けられていてもよく、接触部４３の全周において形成された環状をなしてもよい。
【００３８】
また、上記実施の形態においては、作動弁型の流水検知装置３を例示しているが、圧力スイッチ型等のそのほかの流水検知装置３００を使用してもよい。図１８、図１９は、本発明の圧力スイッチ型の流水検知装置３００の動作を示す動作説明図である。圧力スイッチ型の流水検知装置３００の場合、図１８に示すように、スプリンクラヘッド８が作動していない通常状態である場合、本体弁１１は閉じており、装置本体１０に消火水が流通しない。なお、装置本体１０には、流水孔１０ａが形成されており、圧力スイッチである流水検知部３１３は、流水孔１０ａの終端に設けられている。本体弁１１が閉じている場合、本体弁１１は、装置本体１０の内部だけではなく、流水孔１０ａも塞いでいる。そして、図１９に示すように、第２の導管７内の圧力が低下すると、本体弁１１が開き、装置本体１０を消火水が流通する。また、これに伴って、流水孔１０ａにも消火水が進入し、進入した消火水を流水検知部３１３が検知する。
【符号の説明】
【００３９】
１  リリーフ弁、２  スプリンクラ消火設備、３  流水検知装置、４  第１の導管、５  ポンプ、６  貯水槽、７  第２の導管、８  スプリンクラヘッド、１０  装置本体、１０ａ  流水孔、１０ｂ  ステム、１０ｃ  リミットスイッチ、１１  本体弁、１２  排水弁、１３  流水検知部、１４  バイパス部、１５  一次メンテナンス弁、１６  二次メンテナンス弁、１７  一次圧力計、１８  二次圧力計、１９  第１の配管、１９ａ  エルボ、２０  第２の配管、２０ａ  ソケット、３０  筐体、３０ａ  ねじ部、３０ｂ  内周面、３１  第１の空間、３２  第２の空間、３３  弁座、３３ａ  流路、４０  ガイド部材、４１  軸受け部、４２  バネ受け部、４２ａ  端面、４３  接触部、４３ａ  外周面、４４  段部、４５  ガイド孔、４６  止め輪、５０  バネ、６０  弁体ユニット、６１  軸部、６２  弁体、６２ａ  一端面、６２ｂ  他端面、６２ｃ  螺子孔、６３  螺子、６４  パッキン、１００  リリーフ弁、１４０  ガイド部材、１４６  凸部、２００  リリーフ弁、２４０  ガイド部材、２４７  凹部、２４８  弾性部材、３００  流水検知装置、３１３  流水検知部。
【図１】
0006309874.tif 000002
【図２】
0006309874.tif 000003
【図３】
0006309874.tif 000004
【図４】
0006309874.tif 000005
【図５】
0006309874.tif 000006
【図６】
0006309874.tif 000007
【図７】
0006309874.tif 000008
【図８】
0006309874.tif 000009
【図９】
0006309874.tif 000010
【図１０】
0006309874.tif 000011
【図１１】
0006309874.tif 000012
【図１２】
0006309874.tif 000013
【図１３】
0006309874.tif 000014
【図１４】
0006309874.tif 000015
【図１５】
0006309874.tif 000016
【図１６】
0006309874.tif 000017
【図１７】
0006309874.tif 000018
【図１８】
0006309874.tif 000019
【図１９】
0006309874.tif 000020